(57)【要約】【課題】洗浄水の噴射により食器等の洗浄を行う食器洗い機において、運転中にロック解除ボタンが振動して異音が発生することを防止する構成を改善する。【解決手段】本体１に、食器等の被洗浄物１３を収容する洗浄槽２と、洗浄槽２の開口部を開閉する扉体３と、扉体３の閉成状態を維持するロック装置５と、ロック装置５のロック状態を解除させるロック解除部（ロック解除ボタン６）と、ロック解除部を所定の位置に付勢する付勢部（第２の当接部１２）とを備え、付勢部はロック装置５に一体に構成されたことを特徴とする。【選択図】図２
2013158513.tif 000002
【特許請求の範囲】
【請求項１】
本体に、食器等の被洗浄物を収容する洗浄槽と、前記洗浄槽の開口部を開閉する扉体と、前記扉体の閉成状態を維持するロック装置と、前記ロック装置のロック状態を解除させるロック解除部と、前記ロック解除部を所定の位置に付勢する付勢部とを備え、前記付勢部は前記ロック装置に一体に構成されたことを特徴とする食器洗い機。
【請求項２】
前記ロック装置は前記ロック解除部と当接する連動部を備え、前記連動部は剛性が異なる第１の当接部と第２の当接部とを有し、前記第２の当接部は、前記第１の当接部より剛性が低いとともにバネ性を有して前記付勢部となるように構成されたことを特徴とする請求項１記載の食器洗い機。
【請求項３】
前記扉体の閉成状態において、前記第１の当接部は前記ロック解除部との間に所定寸法の隙間を有し、前記第２の当接部は前記ロック解除部に当接していることを特徴とする請求項２記載の食器洗い機。
【請求項４】
前記第２の当接部が有するバネ性は、前記ロック装置を解除するほどの付勢力はないことを特徴とする請求項２又は３記載の食器洗い機。
【発明の詳細な説明】
【技術分野】
【０００１】
本発明は、洗浄水の噴射により食器等の洗浄を行う食器洗い機に関する。
【背景技術】
【０００２】
従来、この種の食器洗い機は、図４、図５に示すように構成されていた。図４は従来の食器洗い機の側部断面図で、図５は図４に示したロック装置近傍の要部拡大断面図である。以下、その構成について説明する。
【０００３】
図４、図５において、食器洗い機の本体１０１の内部に洗浄槽１０２が設けられ、洗浄槽１０２には食器類１１３が載置される食器かご１１４が配置されている。本体１０１の前部には下扉体１０３ａと上扉体１０３ｂとが設けられ、洗浄槽１０２の開口部を開閉する。下扉体１０３ａと上扉体１０３ｂとは連動リンク１１５によって連結されており、下扉体１０３ａの把手部１１６を持って下扉体１０３ａを開放すれば、同時に上扉体１０３ｂも開放する。下扉体１０３ａには、扉体の閉成状態を確実に維持するためのロック装置１０５が内蔵され、ロック装置１０５を解除するためのロック解除ボタン１０６が、把手部１１６の下側に設けられる。
【０００４】
ロック装置１０５は、係合爪１０５ａが本体１０１に設けられた係止部１０７に係合する。係合爪１０５ａは回転軸１０５ｂを軸として回動自在に設けられ、スプリング１０８（引っ張りコイルバネ）によって係止部１０７方向に付勢されている。回転軸１０５ｂ周りには、係合爪１０５ａとは異なる方向に連動部１１０が形成され、ロック解除ボタン１０６が押されたことによる押圧を連動部１１０が受けて、係合爪１０５ａが係止部１０７から外れるように構成されている。
【０００５】
ロック解除ボタン１０６はボタン軸１０６ａで軸支されているが、部品寸法や組み立てのばらつきにより、ロック解除ボタン１０６が連動部１１０を常に押圧してしまうことでロック装置１０５のロック状態が不十分になることを避けるために、ロック解除ボタン１０６と連動部１１０との間には適当な寸法の隙間Ｄが設けられる。ロック解除ボタン１０６は、この隙間Ｄにより不安定になるため、食器洗い機の運転中に振動して異音を発生させる可能性がある。そこで、この異音の発生を防止するために、押しバネ１１７によって外方向に付勢されている。
【０００６】
また、食器洗い機の本体１０１にはロック検知スイッチ１０９が配設され、下扉体１０３ａの閉成状態において、ロック装置１０５はロック検知スイッチ１０９を押圧する。ロック検知スイッチ１０９は食器洗い機の運転制御と連携し、扉体が完全に閉成状態でない場合は運転ができないようにするとともに、運転途中に下扉体１０３ａを開放された場合には、直ちに運転を停止させて、洗浄水が食器洗い機の機外に噴出しないように構成されている。
【０００７】
食器洗い機の基本的な動作は、一般的に良く知られているので、以下に簡単に述べる。まず、使用者がロック解除ボタン１０６を押圧してロック装置１０５を解除し、把手部１１６を持って下扉体１０３ａと上扉体１０３ｂとを開放し、洗浄槽１０２に設置された食器かご１１４に汚れた食器類１１３を載置し、洗剤を投入する。つぎに、下扉体１０３ａと上扉体１０３ｂとを閉め、運転スイッチを操作して食器洗い機の運転を開始する。
【０００８】
運転を開始した食器洗い機は、洗浄槽１０２の底部に配置されたヒータ１１８によって洗浄水を加熱しながら、洗浄ノズル１１９から食器類１１３に向かって洗浄水を噴射し、
食器類１１３の汚れを落とす洗浄工程を行う。その後、洗浄水を入れ替えて食器類１１３をすすぐすすぎ工程を行った後、きれいになった食器類１１３を乾かす乾燥工程を行って運転を終了する。
【先行技術文献】
【特許文献】
【０００９】
【特許文献１】特開２００２−２７２６６０号公報
【特許文献２】特開２００６−１１０１３０号公報
【発明の概要】
【発明が解決しようとする課題】
【００１０】
しかしながら、ロック解除ボタンの運転中の異音の発生を防止するために、ロック解除ボタンの背面に押しバネを配設することは、部品が追加になることによるコストアップや、可動部に押しバネを嵌め込む必要があることなどによって組み立て効率の向上を妨げてしまう等の問題がある。
【００１１】
本発明は、前記従来の課題を解決するもので、少ない部品で異音の発生を防止するように構成し、組み立て効率の向上を図った食器洗い機を提供することを目的とする。
【課題を解決するための手段】
【００１２】
前記従来の課題を解決するために、本発明の食器洗い機は、本体に、食器等の被洗浄物を収容する洗浄槽と、前記洗浄槽の開口部を開閉する扉体と、前記扉体の閉成状態を維持するロック装置と、前記ロック装置のロック状態を解除させるロック解除部と、前記ロック解除部を所定の位置に付勢する付勢部とを備え、前記付勢部は前記ロック装置に一体に構成されたことを特徴とするもので、食器洗い機の運転中にロック解除ボタンが振動して発生させる異音の防止を、少ない部品点数の構成で可能とするもので、組み立て効率が良く品位の高い食器洗い機を安価に提供することができる。
【発明の効果】
【００１３】
本発明の食器洗い機は、運転中にロック解除部が振動して発生させる異音の防止を、少ない部品点数の構成で可能とするもので、組み立て効率が良く品位の高い食器洗い機を安価に提供することができる。
【図面の簡単な説明】
【００１４】
【図１】本発明の実施の形態１における食器洗い機の側部断面図
【図２】同食器洗い機の要部拡大断面図
【図３】同食器洗い機の他の実施例を示す要部拡大断面図
【図４】従来の食器洗い機の側部断面図
【図５】同食器洗い機の要部拡大断面図
【発明を実施するための形態】
【００１５】
第１の発明は、本体に、食器等の被洗浄物を収容する洗浄槽と、前記洗浄槽の開口部を開閉する扉体と、前記扉体の閉成状態を維持するロック装置と、前記ロック装置のロック状態を解除させるロック装置ロック解除部と、前記ロック解除部を所定の位置に付勢する付勢部とを備え、前記付勢部は前記ロック装置に一体に構成されたもので、運転中にロック解除部が振動して発生させる異音の防止を、少ない部品点数の構成で可能とし、組み立て効率を向上させることができる。
【００１６】
第２の発明は、前記ロック装置は前記ロック解除部と当接する連動部を備え、前記連動部は剛性が異なる第１の当接部と第２の当接部とを有し、前記第２の当接部は、前記第１
の当接部より剛性が低いとともにバネ性を有して前記付勢部となるように構成されたもので、連動部に２つの当接部を構成して一方を付勢部としてロック装置に一体に構成し、部品点数を減らして組み立て効率を向上させることができる。
【００１７】
第３の発明は、前記扉体の閉成状態において、前記第１の当接部は前記ロック解除部との間に所定寸法の隙間を有し、前記第２の当接部は前記ロック解除部に当接しているもので、部品寸法や組み立てのばらつきにより、ロック解除部が連動部を常に押圧してしまうことでロック装置のロック状態が不十分になることを防止することができるとともに、食器洗い機の運転中にロック解除部が振動しないようにして異音の発生を防止することができる。
【００１８】
第４の発明は、前記第２の当接部が有するバネ性は、前記ロック装置を解除するほどの付勢力はないもので、第２の当接部による付勢力によって係合爪が係止部から外れてしまうことを防止することができる。
【００１９】
以下、本発明の実施の形態について、図面を参照しながら説明する。なお、この実施の形態によって本発明が限定されるものではない。
【００２０】
（実施の形態１）
図１は本発明の実施の形態１における食器洗い機の側部断面図で、図２は図１に示したロック装置近傍の要部拡大断面図である。図１および図２において、食器洗い機の本体１の内部に洗浄槽２が設けられ、本体１の前部に扉体３が設けられ、洗浄槽２の開口部を扉体３が開閉する。洗浄槽２には食器類の被洗浄物１３が載置される食器かご１４が配置されている。扉体３は、本体１の下部に設けられた扉軸４を中心にして上下方向に回転自在に取り付けられている。
【００２１】
扉体３の上部には、扉体３を閉成状態に維持するロック装置５と、ロック解除部としてロック解除ボタン６とが設けられている。ロック装置５は回転軸５ｂにより軸支され、ロック解除ボタン６はボタン軸６ａにより軸支されている。ロック装置５は、係合爪５ａが本体１の係止部７に係合してロックされ、ロック解除ボタン６と連動してロック装置５が解除される。また、係合爪５ａはスプリング８（引っ張りコイルバネ）で係止部７と係合する方向に付勢され、ロック解除ボタン６を操作しない限り係止部７から外れないように構成されている。
【００２２】
本体１にはロック検知スイッチ９が配設され、扉体３の閉成状態において、ロック装置５はロック検知スイッチ９を押圧する。ロック検知スイッチ９は食器洗い機の運転制御と連携し、扉体３が完全に閉成状態でない場合は運転できないようにするとともに、運転途中に扉体３を開放された場合には、直ちに運転を停止させて、洗浄水が食器洗い機の機外に噴出しないように構成されている。
【００２３】
ロック装置５は、扉体３の左右に設けられることによって、より確実に扉体３を閉成状態に維持することができる。左右のロック装置５を連結部材（図示せず）によって連動させることで、いずれか片方のロック装置５のみがロックされた片係りの状態を防ぐことができるとともに、ロック検知スイッチ９を片方だけに設けても扉体３の閉成状態を確実に検知することができる。
【００２４】
ロック解除ボタン６が押されたことに対してロック装置５を連動させるために、ロック装置５にはロック解除ボタン６と当接する連動部１０が設けられる。連動部１０は、ロック解除ボタン６と当接する第１の当接部１１と、第１の当接部１１よりも剛性が低い第２の当接部１２とにより構成される。
【００２５】
第１の当接部１１は剛性が十分に高く、ほとんどバネ性を有していない。また、扉体３の閉成状態においてはロック解除ボタン６との間に所定寸法の隙間Ｄを有している。この隙間Ｄは、部品寸法や組み立てのばらつきにより、ロック解除ボタン６が連動部１０を常に押圧してしまうことでロック装置５のロック状態が不十分になることを避けることができる程度の寸法があればよい。
【００２６】
一方、第２の当接部１２は第１の当接部１１より剛性が低いとともにバネ性を有しており、扉体３の閉成状態において、常にロック解除ボタン６の裏面に当接し、付勢部として、ロック解除ボタン６が所定の位置で振動しないように外方向に付勢している。ここで、スプリング８がロック装置５の係合爪５ａを係止部７に係合状態に付勢する力は、第２の当接部１２による付勢力よりも十分に強く設定されており、第２の当接部１２による付勢力によって係合爪５ａが係止部７から外れてしまうことはない。すなわち、第２の当接部１２が有するバネ性は、ロック装置５を解除するほどの付勢力はない。
【００２７】
そして、扉体３を開放するために使用者がロック解除ボタン６を押すと、ロック解除ボタン６はまず隙間Ｄの寸法分を移動し、バネ性を有した第２の当接部１２は変形する。その後、ロック解除ボタン６が第１の当接部１１と接触すると係合爪５ａが連動して回転動作を始め、係止部７から外れてロックが解除される。
【００２８】
このように、扉体３の閉成状態において、ロック解除ボタン６は第２の当接部１２によって所定の位置で動かないように付勢されているため、食器洗い機の運転中に振動して異音を発生することはない。また、この構成によりロック解除ボタン６を付勢するための押しバネが不要になり、部品点数を削減することができるとともに、組み立て効率の向上を図ることができる。また、第１の当接部１１と第２の当接部１２とが別部品であって、組み立てにより構成されていたとしても、ロック装置５として一体に構成することによって組み立てが容易になり、組み立て効率の向上を図ることができる。さらに、ロック解除ボタン６が第１の当接部１１に当接したあとは、第２の当接部１２にそれ以上変形するような押圧が掛かることはなく、第２の当接部１２の強度やバネ性の設計における配慮が簡単である。
【００２９】
なお、本実施の形態１においては、連動部１０はロック装置５の一部（同一部品）で構成しているが、図３に示すように別部品で構成しても良い。別部品で構成することで、部品点数は増加してしまうが、ロック解除ボタン６とロック装置５の位置関係に関する自由度、すなわち意匠設計の自由度を高めることができる。
【００３０】
また、本実施の形態１においては、扉体３は１枚の構成としたが、従来例で示したように、複数枚の扉体で構成された場合でも同様の構成ならびに効果を得ることができる。また、ロック解除部をボタンで構成したが、レバー構成でも連動部を同様の構成として同様の効果を得ることができる。
【産業上の利用可能性】
【００３１】
以上のように、本発明は、扉体の閉成状態を維持するロック装置と、ロック装置のロック状態を解除させるロック解除部と、ロック解除部を所定の位置に付勢する付勢部とを備え、付勢部はロック装置に一体に構成されたもので、食器洗い機のように扉体を有する機器に適用することができる。
【符号の説明】
【００３２】
１  本体
２  洗浄槽
３  扉体
５  ロック装置
６  ロック解除ボタン（ロック解除部）
１０  連動部
１１  第１の当接部
１２  第２の当接部（付勢部）
１３  被洗浄物
Ｄ  隙間
【図１】
2013158513.tif 000003
【図２】
2013158513.tif 000004
【図３】
2013158513.tif 000005
【図４】
2013158513.tif 000006
【図５】
2013158513.tif 000007